(57)【要約】【課題】新しい画像への切り替えの時間を短縮した画像表示装置を提供すること。【解決手段】エンドレスシート状の画像表示部材と、該画像表示部材に画像を形成する画像形成手段と、画像表示部材に形成された画像を消去する消去手段とを備えた画像表示装置において、上記画像表示部材の第１のシート部の画像形成両側を支持する第１の支持ローラ群と、上記画像表示部材の第２のシート部の画像形成面の裏側面を支持する第２の支持ローラ群と、上記画像表示部材の両端の裏面側を支持し一体的に移動する第３及び第４の支持ローラとを有し、第２のシート部を固定し、第１のシート部のみを移動させながら第１のシート部に上記画像形成手段によって画像を形成することを特徴とする画像表示装置。【特許請求の範囲】
【請求項１】
エンドレスシート状の画像表示部材と、該画像表示部材に画像を形成する画像形成手段と、画像表示部材に形成された画像を消去する消去手段とを備えた画像表示装置において、
上記画像表示部材の第１のシート部の画像形成面側を支持する第１の支持ローラ群と、上記画像表示部材の第２のシート部の画像形成面の裏側面を支持する第２の支持ローラ群と、上記画像表示部材の両端の裏面側を支持し一体的に移動する第３及び第４の支持ローラとを有し、第２のシート部を固定し、第１のシート部のみを移動させながら第１のシート部に上記画像形成手段によって画像を形成することを特徴とする画像表示装置。
【請求項２】
前記画像表示部材全体を移動させながら第２のシート部上に形成された画像を上記消去手段によって消去する請求項１に記載の画像表示装置。
【請求項３】
前記第１のシート部のみの移動は、上記第３、第４の支持ローラを一体的に移動させることによって行われる請求項１に記載の画像表示装置。
【発明の詳細な説明】
【０００１】
【発明の属する技術分野】
本発明は画像表示装置に係り、特に画像表示部材に画像形成・表示・消去を繰り返し行うことが可能な画像表示装置に関するものである。
【０００２】
【従来の技術】
従来、電気信号に変換された画像情報を可視像化して表示する画像表示装置は種々開発されており、代表的なものとしてＣＲＴディスプレイ装置、液晶ディスプレイ装置などが実用化されている。しかし、両者とも大画面化が難しいという欠点を有する。
【０００３】
そこで、以上の欠点を解消した画像表示装置として、エンドレスシート状の画像形成部材に画像を形成する手段と、その画像を消去する手段を有した画像表示装置が提案されている。上記画像表示装置について、図４を用いて説明する。画像表示部材１０１は、エンドレスベルト状に成形されて搬送ローラ１０２、１０３との間に掛けまわされており、表示部Ａが外部から見えるようになっている。画像表示部材１０１の表示部Ａと反対側には画像形成手段１０４が、その下方には消去手段１０５が設けられている。
【０００４】
また、装置の枠体１０６に設けられた開口部１０７には、表示部Ａを形成する透明カバー１０８が装着されている。新たな画像を表示する場合には、画像表示部材１０１は図中矢印Ｂ方向に搬送され、表示部Ａ側に形成された画像が消去手段１０５によって消去されるとともに、画像形成手段１０４によって新たな画像が画像表示部材に形成され、表示部Ａに搬送されてくる。このような画像表示装置では、画像形成手段１０４を画像表示部材１０１の幅方向へ走査させることができるので、比較的表示面積を大きくしやすく、たとえばＡ１，Ａ０サイズの表示部を設けることもできる。
【０００５】
【発明が解決しようとする課題】
しかし、表示面積を大きくすると、それだけ画像を形成するのに要する時間は長くなってしまう。例えば、Ａ０サイズで写真画像のようなグラフィック調の画像を形成するには１０〜３０分程度の書き込み時間が必要になる。一方、上記の画像表示装置では、古い画像を消去しながら新しい画像を形成することで画像の切り替えが行なわれていくため、完全に画像が切り替わるまで１０分以上かかることになる。つまり古い画像と新しい画像の一部ずつが混在した画像しか表示されない中途半端な状態が１０分以上続くことになってしまう。
従って、本発明の目的は、上記従来技術の課題を解決することであり、新しい画像への切り替えの時間を短縮した画像表示装置を提供することにある。
【０００６】
【課題を解決するための手段】
上記目的は以下の本発明によって達成される。即ち本発明に係る第１の発明は、エンドレスシート状の画像表示部材と、該画像表示部材に画像を形成する画像形成手段と、画像表示部材に形成された画像を消去する消去手段とを備えた画像表示装置において、上記画像表示部材の第１のシート部の画像形成面側を支持する第１の支持ローラ群と、上記画像表示部材の第２のシート部の画像形成面の裏側面を支持する第２の支持ローラ群と、上記画像表示部材の両端の裏面側を支持し一体的に移動する第３及び第４の支持ローラとを有し、第２のシート部を固定し、第１のシート部のみを移動させながら第１のシート部に上記画像形成手段によって画像を形成することを特徴とする。
上記構成において、エンドレスシート状の画像表示部に表示された画像を短時間で新しい画像に切り替えることができる。
【０００７】
【実施例】
次に、実施例を挙げて本発明を更に詳細に説明する。
（第１の実施例）
図１は本発明の第１の実施例の外観図、図２は断面図である。画像表示装置１０の前面には表示部Ａおよび操作パネル２６が設けられている。画像表示装置１０の内部では、エンドレスシート１が第１の支持ローラ群２，３，４，５、第２の支持ローラ群６，７，８，９、および第３のローラ１１、第４のローラ１２に支持されている。
【０００８】
第１の支持ローラ群２，３，４，５は、その表面にてエンドレスシート１の表示面側を支持し、第２の支持ローラ群６，７，８，９は、その表面にてエンドレスシート１の裏面側を支持する。また、エンドレスシート１の両端は、ローラキャリッジ１３に回転可能に支持された第３のローラ１１、第４のローラ１２に裏面側が巻回されている。
【０００９】
第１の支持ローラ群２，３，４，５、第２の支持ローラ群６，７，８，９も回転可能に支持され、各々同一の外径を有する。これら第１の支持ローラ群２，３，４，５のすべて、もしくは一部、第２の支持ローラ群６，７，８，９のすべて、もしくは一部が不図示の回転駆動機構により駆動されている。本実施例では、支持ローラ５，８が駆動機構により駆動可能である。また、少なくとも支持ローラ７にはシートの搬送を阻止するブレーキ手段が設けられている。このブレーキ手段は、例えば支持ローラ７の回転を阻止する手段と、エンドレスシート１を挟んで支持ローラ７側ヘバネ付勢された従動ローラ７ａから構成され、支持ローラの回転を阻止すると、エンドレスシートは、回転できない支持ローラ、従動ローラによって挟まれ移動できなくなる。また、従動ローラ７ａは、エンドレスシート１の画像領域を除いた領域でのみエンドレスシート１に接触しているため、シート上のインクが付着したり、シート状の画像が乱れたりすることはない。
【００１０】
ローラキャリッジ１３は、ガイドレール１４に摺動可能に支持されている。また、ローラキャリッジ１３を図３に示す位置に固定するための解除可能なロック手段２５が設けられている。ヘッドキャリッジ１５は、ガイドレール１６，１７に沿ってエンドレスシート１の幅方向に移動可能で、へッドキャリッジ１５のエンドレスシート１に近接した部分にインクジェットヘッド１８が設けられている。カラー画像を形成するために、インクジェットヘッド１８は、少なくともシアン、マゼンタ、イエロー、ブラックの４色のヘッド列がエンドレスシートの幅方向に平行に並べられている。また、ヘッドキャリッジ１５にはインクジェットヘッド１８へインクを供給するインクカートリッジも搭載されている。
画像の表示部Ａには、透明カバー１９が設けられている。
【００１１】
さらに装置の下部には、エンドレスシート１に形成されたインクジェット画像を消去する消去ユニット２１が設けられている。消去ユニット２１は、エンドレスシート１上の画像を消去するための消去ローラ２２と、消去ローラ２２に付着した廃インクを除去するためのブラシ２３、除去された廃インクを収納する廃インクトレイ２４を含む。消去ローラ２２は、繊維状の表面を有し、不図示の駆動源により図中矢印方向（エンドレスシート搬送方向とは逆方向）に回転し、エンドレスシート１の表面を払拭することによりエンドレスシート１上の画像を消去する。消去ローラ２２と駆動源の間には不図示のクラッチが設けられ、このクラッチが切られると消去ローラ２２は、支持ローラ９の回転にしたがって回転する。消去ローラ２２の表面に付着した廃インクはブラシ２３によって下方に落とされる。
【００１２】
＜印字モード＞
次に、エンドレスシート１に画像を形成する印字動作について説明する。この場合のエンドレスシート１の搬送は、支持ローラ７にブレーキをかけた状態で支持ローラ５を時計方向へ駆動することにより行われる。支持ローラ７にブレーキをかけた状態では、エンドレスシート１の外側部１ａは移動できないため、支持ローラ５が回転すると、エンドレスシート１の内側部１ｂだけが移動してローラキャリッジ１３が下方へ移動する。
【００１３】
まず、印字命令がくると、支持ローラ７にブレーキがかけられシート搬送不可能な状態となる。そして、ヘッドキャリッジ１５がエンドレスシート幅方向に往復移動しながらインクジェットヘッド１８からインクが吐出され画像が形成されていく。ヘッドキャリッジ１５が一往復しローラキャリッジ１３が所定の距離だけ移動する、という動作を複数回繰り返して、一枚分の画像を形成していく。なお、エンドレスシート１の外側部１ａは移動しないので、印字中であっても表示部Ａに表示した画像は、まったく動かない。そして図３に示す位置までローラキャリッジ１３が移動してヘッドキャリッジ１５が往復移動したところで印字は終了する。
【００１４】
＜消去モード＞
次に、印字モードで印字した画像を表示部へ搬送し、今まで表示していた古い画像を消去するときの動作について説明する。この場合のエンドレスシート１の搬送は、ローラキャリッジ１３をロック手段２５によって図３の位置にロックした状態で支持ローラ５を時計方向へ、支持ローラ８を反時計方向へ回転駆動することにより行われる。なお、この場合、支持ローラ７のブレーキ手段は解除されている。ローラキャリッジ１３をロックした状態で、支持ローラ５を時計方向へ、支持ローラ８を反時計方向へ回転駆動すると、エンドレスシート１全体が等速で経路に沿って図中矢印方向へ移動する。
【００１５】
まず、消去命令がくると、ローラキャリッジ１３がロック手段２５によってロックされる。そして、支持ローラ５は時計方向へ、支持ローラ８は反時計方向へ同時に同じ回転数で駆動され、エンドレスシート１全体が搬送される。表示部Ａに表示されていた画像が、消去ローラ２２と支持ローラ９の間に進入する直前に消去ローラ２２が反時計方向へ回転を始める。すると、表示部Ａに表示されていた画像は、次々と支持ローラ９と消去ローラ２２の間で消去されていく。エンドレスシート１から払拭された廃インクの一部は、そのまま落下して廃インクトレイ２４の中に蓄積されていく。消去ローラ２２の表面に付着した廃インクは、ブラシ２３により掻き落とされてやはり廃インクトレイ２４に蓄積される。表示されていた画像がすべて消去されると消去ローラ２２のクラッチが切られ、印字部で印字された画像がちょうど表示部Ａに移動してくると支持ローラ５，８の回転が停止し、エンドレスシート１の搬送が終了する。
その後、ローラキャリッジ１３のロック手段２５が解除されるとともに、支持ローラ７にブレーキがかけられ、支持ローラ５が反時計方向に逆転してローラキャリッジ１３は、図２の位置まで戻り、スタンバイ状態になる。
【００１６】
なお、本実施例では、支持ローラ７にブレーキ手段、支持ローラ５，８に回転駆動機構を設けたが、これに限定されることはなく、上記動作が可能であれば、他の支持ローラに設けてもよい。
前述したようにＡ０サイズの画像をインクジェットヘッドで印字するには長時間必要であるが、この画像を消去するだけなら短時間、例えば２０〜６０秒程度で消去できるため、上記のような構成にすると、表示画像の切り替え時間を飛躍的に短縮することができる。また、シート上に印字された画像は、どの支持ローラにも接触しないので、印字画像が乱れることもない。
【００１７】
（他の実施例）
なお、印字モードのときに支持ローラ５を回転させてエンドレスシート１の内側部１ｂを搬送させたが、かわりにローラキャリッジ１３を上下動させる機構を設けて搬送させてもよい。
また、上記実施例では、消去モードでのシート搬送の負荷を少しでも減らすために消去ローラ２２と駆動源の間にクラッチを設けたが、消去ローラ、もしくは消去ユニットを待避させる手段を設けてもよい。
【００１８】
【発明の効果】
以上説明したように、本出願に係る第１の発明によれば、エンドレスシート状の画像表示部材と、該画像表示部材に画像を形成する画像形成手段と、画像表示部材に形成された画像を消去する消去手段を備えた画像表示装置において、上記画像表示部材の第１のシート部の画像形成面側を支持する第１の支持ローラ群と、上記画像表示部材の第２のシート部の画像形成面の裏側面を支持する第２の支持ローラ群と、上記画像表示部材の両端の裏面側を支持し一体的に移動する第３、第４の支持ローラを有し、第２のシート部を固定し、第１のシート部のみを移動させながら第１のシート部に上記画像形成手段によって画像を形成するようにしたので、新しい画像への切り替えの時間を短縮した画像表示装置を提供することができる。
【図面の簡単な説明】
【図１】本発明の第１の実施例の外観図である。
【図２】本発明の第１の実施例の断面図である。
【図３】本発明の第１の実施例の他の形態を示す断面図である。
【図４】本発明の画像表示装置の断面図である。
【図１】
2004004219.tif 000002
【図２】
2004004219.tif 000003
【図３】
2004004219.tif 000004
【図４】
2004004219.tif 000005